(57)【要約】【課題】油分の除去を確実に行い、当初の空調性能を長期に渡って維持することが出来る空気調和機を提供する。【解決手段】吸込み口２と排気口４を有する本体１に、吸込み口２と排気口４を連通する通過風路５を形成し、通過風路５内に配された、多数の細孔を有するフィルター６ａと該フィルター６ａの外周囲を保持する枠体６ｂより成る塵埃捕集用のフィルター体６と、室内の浮遊塵埃を含む外気を吸込み口２から吸引し排気口４から排出する送風機８より構成される空気調和機において、フィルター体６の上流側表面に摺接し油分を捕集する清掃片１１ｂを設け、清掃片１１ｂは布帛より成るもので、布帛は、極微細な気泡を多数有しているので、この清掃片１１ｂで、フィルター６ａに付着した油分を確実に吸着でき、後のフィルター体６からの塵埃除去作業が容易になる。【選択図】図１
2009275992.tif 000002
【特許請求の範囲】
【請求項１】
吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する清掃片を設け、前記清掃片は布帛より成ることを特徴とする空気調和機。
【請求項２】
吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する回転清掃体を設け、前記回転清掃体を、軸体と、それぞれ円盤状に形成されると共に布帛から成り前記軸体の外周に積層された清掃片で構成したことを特徴とする空気調和機。
【請求項３】
隣り合う清掃片間に所定の間隔を設けると共に、前記清掃片を、軸体の長軸方向に対し傾斜させたことを特徴とする請求項２に記載の空気調和機。
【請求項４】
吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する回転清掃体を設け、前記回転清掃体を、短冊状で且つ布帛から成る清掃片を複数の軸体で挟みつけて捩じって構成したことを特徴とする空気調和機。
【請求項５】
清掃片の外周面にスリットないし凹凸を形成したことを特徴とする請求項1乃至４のいずれか１項に記載の空気調和機。
【請求項６】
清掃片を形成する布帛を、不織布及び極微細な気泡を有する多孔質化されたポリウレタンの二重構造体で形成したことを特徴とする請求項1乃至５のいずれか１項に記載の空気調和機。
【発明の詳細な説明】
【技術分野】
【０００１】
本発明は、空気調和機に関するもので、特に、フィルターの自動清掃機能を有する空気調和機に関するものである。
【背景技術】
【０００２】
従来のこの種の空気調和機として、フィルターの上流側の表面に沿って移動する除塵体と、ダストボックスを設け、前記除塵体が回転しながら移動し、フィルターの表面に付着した塵埃を掻き出し、ダストボックスに回収するようにしたものがある（例えば、特許文献１参照）。
【特許文献１】特開２００７−２３２２４３号公報
【発明の開示】
【発明が解決しようとする課題】
【０００３】
台所や厨房など油煙が多く発生する場所に設置された空気調和機、特に、厨房に設置された業務用の天吊り型の空気調和機などでは、フィルターに油分が多く付着する。油分は粘性が有るため塵埃と共に、フィルターにこびりつく傾向があるが、特許文献1に開示されたような従来の空気調和機に使用される除塵体は、一般の乾湿塵埃を対象としているため、油分を含んだ塵埃の除去が十分出来ず、空気調和機の空調性能が次第に悪くなるという課題があった。
【０００４】
本発明は、上記従来の課題を解決するもので、油分の除去を確実に行い、当初の空調性能を長期に渡って維持することが出来る空気調和機を提供することを目的とするものである。
【課題を解決するための手段】
【０００５】
前記従来の課題を解決するために、本発明の空気調和機は、吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する清掃片を設け、前記清掃片は布帛より成るもので、布帛は、それを形成する複数本の繊維間に多数の空隙部を有しているので、この布帛からなる清掃片をフィルター体の上流側表面に摺接させることにより、フィルターに付着した油分を確実に吸着することが出来、後のフィルター体からの塵埃除去作業が非常に容易になる。また、通常の塵埃除去用の除塵体を別途設けた場合、その除塵体による塵埃除去が確実に行われるようになり、油分の多い厨房等の過酷な環境下においても、フィルターの清掃効率を損なうことなく、長期に渡って使用できる空気調和機を提供することができる。
【０００６】
また、本発明の空気調和機は、吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する回転清掃体を設け、前記回転清掃体を、軸体と、それぞれ円盤状に形成されると共に布帛から成り前記軸体の外周に積層された清掃片で構成したもので、布帛は、それを形成する複数本の繊維間に多数の空隙部を有しているので、この布帛からなる清掃片を有する回転清掃体をフィルター体の上流側表面に摺接させることにより、フィルターに付着した油分を、確実に吸着することが出来、後のフィルター体からの塵埃除去作業が非常に容易になる。特に、清掃片が積層されているので、油分の吸着量が多くなって、その分長く使用することが出来る。更に、円盤状の清掃片の外周縁部がフィルター体に摺接するので、油分の吸着力を向上させることができる。また、通常の塵埃除去用の回転ブラシを別途設けた場合、その除塵体による塵埃除去が確実に行われるようになり、油分の多い厨房等の過酷な環境下においても、フィルター体の清掃効率を損なうことなく、長期に渡って使用できる空気調和機を提供することが出来る。
【０００７】
また、本発明の空気調和機は、吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する回転清掃体を設け、前記回転清掃体を、短冊状で且つ布帛から成る清掃片を複数の軸体で挟みつけて捩じって構成したもので、布帛は、それを形成する複数本の繊維間に多数の空隙部を有しているので、この布帛からなる清掃片を有する回転清掃体をフィルター体の上流側表面に摺接させることにより、フィルターに付着した油分を、確実に吸着することが出来、後のフィルター体からの塵埃除去作業が非常に容易になり、油分の多い厨房等の過酷な環境下においても、フィルター体の清掃効率を損なうことなく、長期に渡って使用できる空気調和機を提供することが出来る。また、回転清掃体を、短冊状の清掃片を複数の軸体で挟みつけて捩じって構成することで、回転清掃体の製造、組み立てが容易になると共に、回転清掃体の長さも自由に変えられるようになり、商品展開も容易になる。
【発明の効果】
【０００８】
本発明の空気調和機は、フィルターから油分を確実に除去し、後のフィルターの清掃を容易し、当初の空調性能を長期に渡って維持することが出来る。
【発明を実施するための最良の形態】
【０００９】
第１の発明は、吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する清掃片を設け、前記清掃片は布帛より成るもので、布帛は、それを形成する複数本の繊維間に多数の空隙部を有しているので、この布帛からなる清掃片をフィルター体の上流側表面に摺接させることにより、フィルターに付着した油分を確実に吸着することが出来、後のフィルター体からの塵埃除去作業が非常に容易になる。また、通常の塵埃除去用の除塵体を別途設けた場合、その除塵体による塵埃除去が確実に行われるようになり、油分の多い厨房等の過酷な環境下においても、フィルターの清掃効率を損なうことなく、長期に渡って使用できる空気調和機を提供することができる。
【００１０】
第２の発明は、吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する回転清掃体を設け、前記回転清掃体を、軸体と、それぞれ円盤状に形成されると共に布帛から成り前記軸体の外周に積層された清掃片で構成したもので、布帛は、それを形成する複数本の繊維間に多数の空隙部を有しているので、この布帛からなる清掃片を有する回転清掃体をフィルター体の上流側表面に摺接させることにより、フィルターに付着した油分を、確実に吸着することが出来、後のフィルター体からの塵埃除去作業が非常に容易になる。特に、清掃片が積層されているので、油分の吸着量が多くなって、その分長く使用することが出来る。更に、円盤状の清掃片の外周縁部がフィルター体に摺接するので、油分の吸着力を向上させることができる。また、通常の塵埃除去用の回転ブラシを別途設けた場合、その除塵体による塵埃除去が確実に行われるようになり、油分の多い厨房等の過酷な環境下においても、フィルター体の清掃効率を損なうことなく、長期に渡って使用できる空気調和機を提供することが出来る。
【００１１】
第３の発明は、特に、第２の発明の隣り合う清掃片間に所定の間隔を設けると共に、前記清掃片を、軸体の長軸方向に対し傾斜させたもので、清掃片を間隔をおいて、傾斜させて積層することにより、回転清掃体とフィルターとの摺接抵抗が少なくなるので、回転清掃体を駆動する駆動体を小型化することができる。
【００１２】
第４の発明は、吸込み口と排気口を有する本体に、前記吸込み口と前記排気口を連通する通過風路を形成し、前記通過風路内に配された、多数の細孔を有するフィルターと該フィルターの外周囲を保持する枠体より成る塵埃捕集用のフィルター体と、室内の浮遊塵埃を含む外気を前記吸込み口から吸引し前記排気口から排出する送風機より構成される空気調和機において、前記フィルター体の上流側表面に摺接し油分を捕集する回転清掃体を設け、前記回転清掃体を、短冊状で且つ布帛から成る清掃片を複数の軸体で挟みつけて捩じって構成したもので、布帛は、それを形成する複数本の繊維間に多数の空隙部を有しているので、この布帛からなる清掃片を有する回転清掃体をフィルター体の上流側表面に摺接させることにより、フィルターに付着した油分を、確実に吸着することが出来、後のフィルター体からの塵埃除去作業が非常に容易になり、油分の多い厨房等の過酷な環境下においても、フィルター体の清掃効率を損なうことなく、長期に渡って使用できる空気調和機を提供することが出来る。また、回転清掃体を、短冊状の清掃片を複数の軸体で挟みつけて捩じって構成することで、回転清掃体の製造、組み立てが容易になると共に、回転清掃体の長さも自由に変えられるようになり、商品展開も容易になる。
【００１３】
第５の発明は、特に、第１〜４のいずれか一つの発明の清掃片の外周面にスリットないし凹凸を形成したもので、清掃片の外周にスリットないし凹凸を形成することにより、表面積が増加するので、油分の吸着量が増加し、清掃片をより長く使用することが出来る。
【００１４】
第６の発明は、特に、第１〜５のいずれか一つの発明の清掃片を形成する布帛を、不織布及び極微細な気泡を有する多孔質化されたポリウレタンの二重構造体で形成したもので、不織布と極微細な気泡を有する多孔質化されたポリウレタンの間に、空隙部が形成されるので、清掃片を、フィルターに柔軟に接触させることができ、高い清掃力を得ることができる。また、清掃片の多孔質化されたポリウレタン側をフィルターに摺接させるようにすれば、フィルターへの傷付きが少なくなり、フィルターの寿命を長くすることが出来る。
【００１５】
以下、本発明の実施例について、図面を参照しながら説明する。なお、この実施例によって本発明が限定されるものではない。
（実施例１）
【００１６】
図１は、本発明の第１の実施例における空気調和機の断面図、図２は、同空気調和機のフィルター体の斜視図及び部分断面図、図３は、同空気調和機の油分吸着体の斜視図、図４は、同空気調和機のフィルター体と除塵体の断面図、図５は、同空気調和機のフィルター体の清掃時の動作を示す部分断面図である。
【００１７】
図１〜５において、本実施例における空気調和機の本体１の前部には、複数の吸込み口２を有すると共に上端が本体１に回動自在に取着された前面パネル３が取り付けられ、本体１の下部には、排気口４が設けられ、吸込み口２と排気口４とを連通して、浮遊塵埃を含む室内の空気を吸込み口２から排気口４に導く通過風路５内には、前面パネル３側から順に、吸込み口２から流入する室内の空気に含まれる塵埃を捕捉するフィルター体６と、流入する室内の空気を熱交換する室内熱交換器７と、吸込み口２から室内の空気を吸引し、前記室内熱交換器７で熱交換された空気を排気口４から吹き出すための送風機８が配置されている。
【００１８】
本体１の下面には、フィルター体６が出没するフィルター体通過口９が設けられている。フィルター体６の上流側には、フィルター体６に付着した油分を吸着する油分吸着体１１と、油分吸着体１１の真下に位置すると共にフィルター体６で捕捉された塵埃を除去する除塵体１２と、除塵体１２の下方に配され、除塵体１２で除去され落下してくる塵埃を収納する塵埃収納体１３が設けられている。本体１の側面には、特に図示しないが、塵埃収納体１３を出し入れするための開口部が設けられている。
【００１９】
１４は、フィルター体６の清掃時に、本体１に設けたフィルター体保持溝１５にガイドさせながら、斜め上・下方向にフィルター体６を移動させる第１の駆動体で、第１の駆動体１４を駆動してフィルター体６を斜め下方に移動させると、フィルター体６が、フィルター体通過口９より外方に飛び出し、反対に、フィルター体６を斜め上方に移動させると、フィルター体６が本体１内に収納されるようになっている。１６は、送風機８や、第１の駆動体１４などの電気部品を制御する制御体である。
【００２０】
フィルター体６は、シート状の塵埃捕集用の濾材から成るフィルター６ａと、フィルター６ａの外周囲を保持する枠体６ｂから構成され、枠体６ｂの裏面の一側部には、ラックギヤ６ｃが、上下方向に、且つ一体に延設されている。
【００２１】
第１の駆動体１４は、第１のモータ１７と、その回転軸１７ａに固着され、枠体６ｂに設けたラックギア６ｃに噛み合う第１の駆動ギア１８から構成されている。
【００２２】
図３において、油分吸着体１１は、両端が本体１内に着脱自在に支持される基部１１ａと、略ブレード状で、一側が基部１１ａで挟持されると共に複数本の繊維からなる不織布などの布帛で形成された清掃片１１ｂからなり、油分吸着体１１は、図１に示すように、清掃片１１ｂがフィルター体６の上流側の表面に斜めに押さえつけられるように配置されている。
【００２３】
除塵体１２は、一端が本体１に設けた軸受部１ａに回転自在に支持され、他端がギヤードモータなどからなる第２の駆動体２０に連結された軸体１２ａと、多数の細径の繊維などからなり、軸体１２ａの外周に放射状に取着されると共に、フィルター体６の上流側表面に接して、フィルター６ａに付着した塵埃を除去するブラシ１２ｂから構成されている。ブラシ１２ｂの幅寸法は、フィルター体６のフィルター６ａの全幅に略等しく設定されている。尚、ブラシ１２ｂの軸体１２ａの外周への取着は、接着、溶着、植毛するなどの方法で固着するか、或いは、着脱自在に装着できるようにしても良い。
【００２４】
上記構成により、除塵体１２の軸体１２ａの一端に連結された第２の駆動体２０を駆動して、除塵体１２を、図１に示すように時計方向に回転させることにより、フィルター体６の上流側表面に付着した塵埃を効率よく掻き落とすことができる。
【００２５】
除塵体１２で除去され落下してくる塵埃を受ける塵埃収納体１３の左右方向の長さは、フィルター体６の全幅にわたる長さとほぼ同一で、また、塵埃収納体１３の上面には、除塵体１２のブラシ１２ｂが臨む開口部１３ａが形成され、塵埃収納体１３内の一部には、先端がブラシ１２ｂに食い込む櫛歯２１が、ブラシ１２ｂと平行に設けられている。
【００２６】
以上のように構成された本実施例における空気調和機の動作、作用は以下の通りである。
【００２７】
なお、本実施例における空気調和機の冷・暖房運転時の動作は、従来の空気調和機のそれと同一なので、その説明を省略し、特に、フィルター体６の清掃運転時の動作について説明する。
【００２８】
清掃運転開始に当たり、油分吸着体１１の清掃片１１ｂの先端は、フィルター体６のフィルター６ａの下端に位置している。次に、本体１又は、本体１を遠隔操作するリモコン（図示せず）に設けたフィルタークリーニングスイッチ（図示せず）を操作すると、第２の駆動体２０及び、第１の駆動体１４の運転が開始する。そして、第１の駆動体１４の運転により、フィルター体６がゆっくりと斜め下方に移動開始する。この間に、まず、油分吸着体１１の清掃片１１ｂにより、フィルター６ａに付着していた油分が吸着され、フィルター６ａの上流側表面に残った塵埃は、第２の駆動体２０で回転駆動される除塵体１２のブラシ１２ｂによって、掻き落とされ、その塵埃は、塵埃収納体１３内に落下し、堆積していく。
【００２９】
以上のように、本実施例では、フィルター体６の下端から上端にかけて、フィルター６ａに付着した油分が、油分吸着体１１でまず吸着され、次に、除塵体１２で残った塵埃が除去されるようになっている。
【００３０】
本実施例では、フィルター体６の清掃運転のときは、ブラシ１２ｂの外周の周速度が、フィルター体６の下降速度より大きくなるように設定している。これにより、フィルター体６に付着した塵埃を確実に除去すると共に、フィルター体６に余分な負荷が、すなわち、第１の駆動体１４に無理な負荷が加わるのを防止している。
【００３１】
上記の動作の間、ブラシ１２ｂに塵埃が付着したまま残ることがあるが、それらは、先端がブラシ１２ｂに食い込んだ櫛歯２１により、順次取り除かれるので、塵埃の除去性能が次第に低下することが無い。
【００３２】
第１の駆動体１４の運転により、フィルター体６が完全に下がりきって、フィルター体６の清掃が完了すると、自動的に第１の駆動体１４が逆転し、フィルター体６が、フィルター体保持溝１５にガイドされながら上昇し、最初の収納位置に戻る。
【００３３】
フィルター体６が上昇する間に、除塵体１２を清掃時と同様に、第２の駆動体２０で回転させれば、フィルター体６の清掃をより確実に行うことができる。或いは、フィルター体６が上昇する間に、クラッチ機構（図示せず）などを用いて、除塵体１２と第２の駆動体２０との機械的連結を解除し、除塵体１２が自由に回転できるようにすれば、フィルター体６に加わる負荷、すなわち、第１の駆動体１４に加わる負荷が大幅に減るようになり、第１の駆動体１４の小型化を図ることもできる。
【００３４】
フィルター体６の清掃を、上記のようにして何度か行って、塵埃収納体１３内が塵埃で一杯になってきたら、本体１の側面に設けた開口部（図示せず）から、塵埃収納体１３を取り出して、中の塵埃を廃棄すれば良い。
【００３５】
コスト高にはなるが、塵埃収納体１３に吸引装置（図示しない）を連結して、定期的に或いは、光学的手段などを用いて、塵埃収納体１３が塵埃で一杯になったことを検知したときに、前記吸引装置を運転して、外部に排出するようにすれば、手間がかからず、メンテナンスが容易な空気調和機を提供できる。
【００３６】
また、フィルター体６の清掃を何度か行うと、油分吸着体１１の油分の吸着能力が次第に低下し、それに伴って、フィルター６ａに付着した塵埃が取れ難くなって、除塵体１２による塵埃除去性能が低下してくるので、適宜、油分の吸着状態を確認し、必要に応じて、油分吸着体１１を本体１より取り外し、新しいものと交換するものとする。
【００３７】
以上のように、本実施例における空気調和機によれば、油分吸着体１１の清掃片１１ｂを形成する布帛は、極微細な気泡を多数有しているので、フィルター６ａに付着した油分を確実に吸着することが出来る。これにより、除塵体１２による塵埃除去も確実に行われるようになり、油分の多い厨房等の過酷な環境下においても、フィルター６ａの清掃効率を損なうことなく、長期に渡って使用できる空気調和機を提供することができる。
【００３８】
又、図６に示すように、油分吸着体１１の清掃片１１ｂにスリット１１ｃや凹凸１１ｄを形成すれば、表面積が増加するので、油分の吸着量が増加し、油分吸着体１１をより長く使用することも出来る。
【００３９】
（実施例２）
【００４０】
図７は、本発明の第２の実施例における空気調和機の回転清掃体の斜視図と清掃片の斜視図である。尚、上記第１の実施例における空気調和機と同一部分については、同一符号を付してその説明を省略する。
【００４１】
上記第１の実施例では、フィルター６ａに付着した油分を、固定された油分吸着体１１の清掃片１１ｂで吸着するようにしたが、本実施例は、油分吸着体として、外周に清掃片を備え回転駆動される回転清掃体を用いて、フィルター６ａに付着した油分を吸着するようにしたものである。
【００４２】
図７において、２３は、本実施例における空気調和機の回転清掃体で、一端が空気調和機の本体１に回転自在に軸支され、他端に第３の駆動体２４が連結された略棒状の軸体２５と、円盤状で、軸体２５に装着され、更に積層された複数の清掃片２６と、積層された清掃片２６を両側から挟む円板状のプレート２７と、プレート２７を内方に向けて押さえつけるようにして固定する止め具２８から構成されている。
【００４３】
軸体２５の外周長手方向には、清掃片２６の回り止め用に、リブ２５ａが延設されている。清掃片２６は、複数の繊維からなる不織布などの布帛から形成されると共に、中央には、リブ２５ａに係合する凹部２６ａを周縁の一部に有し、軸体２５を挿入するための穴２６ｂが形成され、さらに外周近傍に、略放射状にスリット２６ｃが形成されている。
【００４４】
次に、清掃片２６を形成する不織布の製造方法について、特に図示しないが、幾つかの例を以下に述べる。
【００４５】
第１の方法は、複数本の繊維を、平板状に集積させて布状体を形成し、前記布状体を複数枚、重ね合わせた後、特殊な針を突き刺して、３次元に絡合された不織布を得る。前記製造方法は、一般的には、ニードルパンチングと呼ばれている。また、布状体はウエッブと呼ばれている。得られた不織布をポリウレタン溶液中に含浸させて、不織布にポリウレタンを充填させる。次いで、ポリウレタンを充填させた不織布を水中に浸漬させると共に、水中に二酸化炭素を注入し、炭酸発泡させることにより、不織布、及び極微細な気泡を有する多孔質化されたポリウレタンよりなる平板状の二重構造体を形成する。なお、不織布を形成する繊維には、ポリエステル繊維、ナイロン繊維、別名ウレタン弾性糸とも呼ばれるスパンデックス繊維等が単独使用、あるいは併用される。
【００４６】
第２の方法は、複数本の繊維を、平板状に集積させて布状体となるウエッブを形成し、ニードルパンチングにより３次元に絡合された不織布を得る。得られた不織布に対して、架橋剤を配合した高分子弾性体をスプレー、浸漬、含浸等の方法を用いて付着させ、加熱することにより不織布を構成する繊維の間を結合させるもので、前記の製造方法により得られた不織布は、一般的にケミカルボンド法不織布と呼ばれている。
【００４７】
なお、不織布を形成する繊維には、綿、レーヨン、セルロース等の天然繊維、ポリエステル、ナイロン、アクリル等の合成樹脂繊維が単独使用、あるいは併用される。また、高分子弾性体には、ニトリルゴム、アクリルゴム、スチレンゴム、ウレタンゴム、アクリル樹脂、ウレタン樹脂等が単独使用、あるいは併用される。また、架橋剤は、前記高分子弾性体の分子間に橋架け構造を形成し、一段と優れた弾力性を高分子弾性体に付与する目的で配合されるものであり、トリメチロールメラミン、ヘキサメチロールメラミン等のメラミン樹脂、ブロックイソシアネート等のイソシアネート樹脂、脂肪族エポキシ等のエポキシ樹脂を単独、あるいは併用して用いることができる。
【００４８】
第３の方法は、ポリアミド樹脂、ポリエステル樹脂、ポリエチレン樹脂、ポリプロピレ
ン樹脂等の熱可塑性樹脂を溶融紡糸すると共に、得られた熱可塑性樹脂繊維にたいして１
００〜１５０ｋｇｆ程度の高圧水流を噴射することにより、繊維を絡合させる。次いで、架橋剤を配合した高分子弾性体をスプレー、浸漬、含浸等の方法を用いて繊維に付着させ、加熱することにより不織布を形成するもので、前記の製造方法により得られた不織布は、一般的に水流絡合法不織布と呼ばれている。
【００４９】
上記した不織布の製造方法は代表的な例であり、上記以外にも、例えば、熱溶融した合成樹脂を連続的に紡糸して繊維を形成し、繊維を延伸しながら捕集ネット上に集積して熱ロールで加圧することにより繊維を結合して不織布を形成するスパンボンド法、熱溶融した合成樹脂を紡糸口から吐出する際、高温エアーで紡出し、捕集ネット上で加熱された繊維を結合させて不織布を形成するメルトブロー法、塩化メチレン、フロン等の低沸点溶剤中に合成樹脂を溶解し、紡糸口から加熱、加圧状態で繊維を紡糸すると同時に、前記低沸点溶剤を揮発させ、繊維を捕集ネット上に集積し、熱ロールで加圧して繊維を結合して不織布を形成するフラッシュ紡糸法、融点の異なる複数の合成樹脂を溶融して融点の高い方の合成樹脂を紡糸して繊維を形成し、溶融された融点の低い方の合成樹脂をバインダーとして繊維を接着させて不織布を形成するファイバーボンド法やサーマルボンド法等により製造しても構わない。
【００５０】
なお、不織布が、上記のように積層される清掃片２６に使用された場合、被洗浄面の繰り返しの当接に強く、繊維がほつれ難く、織布、編物等の他の布帛を清掃片２６に用いた場合に比べて、回転清掃体２３の耐久性の向上につながる。
【００５１】
次に、本実施例における回転清掃体２３の製造方法について以下に述べる。
【００５２】
まず、複数本の繊維からなる布帛のシート（図示せず）に、トムソン型、あるいはレーザーカッター等を用いて、スリット２６ｃを入れる。次に、同じくトムソン型、あるいはレーザーカッター等を用いて、凹部２６ａ、孔２６ｂ及び側縁部２６ｄを有する概円環状の清掃片２６を打ち抜く。
【００５３】
次いで、清掃片２６を、凹部２６ａが同一位置になるようにして複数枚重ね合わせて、孔２６ｂを軸体２５に対して貫通させて、軸体２５の外周に積層し、積層された清掃片２６の両側にプレート２７を装着し、軸体２５の長手方向から、プレス機で、積層された清掃片２６を所定長さになるように圧縮した後、止め具２８で固定する。次に、所定時間放置することにより、重ね合わせた複数の清掃片２６の内部応力を均一化させ、側縁部１６を切削加工及び研磨加工し、仕上げるようにする。
【００５４】
以上のように、本実施例によれば、清掃片２６が積層されているので、油分の吸着量が多くなって、その分長く使用することが出来る。更に、円板状の清掃片２６の側縁部２６ｄがフィルター体６に摺接するので、油分の吸着力を向上させることができる。これにより、除塵体１２による塵埃除去がより確実に行われるようになり、油分の多い厨房等の過酷な環境下においても、フィルター体６の清掃効率を損なうことなく、長期に渡って使用できる空気調和機を提供することが出来る。
【００５５】
尚、上記実施例では、各清掃片２６を密着させるようにして、軸体２５に積層したが、図８（ａ）に示すように、隣り合う清掃片２６間に、清掃片２６の外径より小さい径のカーラー３０を介在させて、隣り合う清掃片２６間に所定の間隔を確保するようにしても良い。このようにすれば、清掃片２６の、カーラー３０より外径方向の部分は、圧縮されずにフリーの状態なので、圧縮されたものより膨らんで、繊維間の空隙が大きくなって、油分の吸収容量を増加させることも出来る。
【００５６】
また、図８（ｂ）に示すように、各清掃片２６を、円筒体を斜めにカットしたような断面形状になるように、シート状部材を打ち抜いて形成し、更に、隣り合う清掃片２６間に両端を、斜めに且つ平行にカットしたカーラー３１を介在させて、隣り合う清掃片２６間に所定の間隔を設けると共に、前記清掃片２６を、軸体２５の長軸方向に対し傾斜させるようにすれば、回転清掃体２３とフィルター６ａとの摺接抵抗が少なくなるので、回転清掃体２３を駆動する第３の駆動体２４を小型化することができる。
【００５７】
なお、清掃片２６の材質として使用する不織布にモノフィラメント状の繊維を採用し、そのモノフィラメント状の繊維の表面に、例えば概シボ状、概スリット状、概打痕傷状、概引っ掻き傷状等の凹凸部（図示せず）を形成するようにすれば、凸部で油分を掻き取ると共に、凹部で油分を捕集する事もできる。また、材質としては、ポリプロピレン繊維等の親油性の高い繊維が好適である。
【００５８】
また、上記第１、第２の実施例では、油分を吸着する清掃片１１ｂ、２６を、複数本の繊維からなる不織布などの布帛で形成したが、以下に記載するような、不織布及び極微細な気泡を有する多孔質化されたポリウレタンの二重構造体で形成した布帛を使用しても良い。
【００５９】
図９において、清掃片１１ｂ、２６は、不織布３３及び基部３４よりなる二重構造体にて形成されており、不織布３３と基部３４との間には、空隙部３５が形成されてある。
【００６０】
不織布３３は、複数本の極細繊維３３ａから形成されており、その材質には、ポリアミド繊維、ポリエステル、ポリエチレン繊維、ポリプロピレン繊維、ウレタンゴム繊維の内、少なくとも１種類以上の材質か、或いは複数の材質を組み合わせてなる材料が使用されている。また、基部３４は、極微細な気泡３６を有する多孔質化された構造体にて形成されてあり、材質には、ポリウレタンが使用されてある。
【００６１】
不織布３３の材料として、ナイロンに代表されるポリアミド繊維を使用した場合には、ポリアミド繊維の有する、耐摩耗性、耐熱性、及び弱酸から強アルカリにおける耐薬品性の高さ、吸水率の高さ等の特性を、清掃片１２ｂ、２６に持たせることが出来る。
【００６２】
また、ポリエステルを使用した場合には、ポリエステルの有する、耐熱性、及び強酸から弱アルカリにおける耐薬品性の高さ、吸水率の低さ、価挌の低さ等の特性をロール部は有することができる。また、ポリエチレン繊維を使用した場合には、ポリエチレン繊維の有する、酸、及びアルカリにおける耐薬品性の高さ、吸水率が０％、価格の低さ等の特性をロール部は有することができる。
【００６３】
また、ポリプロピレン繊維を使用した場合には、ポリプロピレン繊維の有する、吸水率が０％、価格の低さ、軽量である等の特性を、清掃片１２ｂ、２６に持たせることが出来る。
【００６４】
また、別名、ウレタン弾性糸とも呼ばれるウレタンゴム繊維を使用した場合には、ウレタンゴム繊維の有する、親油性の高さ、弾性の高さ等の特性を、清掃片１２ｂ、２６に持たせることが出来る。
【００６５】
次に、清掃片１２ｂ、２６を構成する二重構造体の製造手順について説明する。
【００６６】
まず、主成分及び副成分を混合紡糸して繊維を作成後、特殊な針（図示せず）を突き刺して、前記繊維を立体的に編込む。前記の如く、立体的に編込む製造方法は、一般的には、ニードルパンチングと呼ばれている。次に、前記繊維にウレタンを含浸凝固させて極微細な気泡を有する多孔質化されたポリウレタンを形成させた後、前記副成分を溶解除去させる。
【００６７】
以上のように、不織布及び極微細な気泡を有する多孔質化されたポリウレタンの二重構造体で形成した布帛を、清掃片１１ｂ、２６に使用することにより、以下のような効果が得られる。
【００６８】
ポリウレタンの基部３４は、高い耐摩耗性を有している為、耐久性の優れた清掃片１１ｂ、２６を、製造することができる。また、基部３４は、極微細な気泡を有している為、清掃片１１ｂ、２６を軽くすることができると共に、清掃片１１ｂ、２６に加えられる衝撃を、吸収することができる。
【００６９】
清掃片１１ｂ、２６は、不織布３３及び基部３４よりなる二重構造体で形成されているので、不織布３３と基部３４の間には、空隙部３５が形成されると共に、基部３４は、極微細な気泡を有する多孔質化されたポリウレタンにて形成されてある為、清掃片１１ｂ、２６を、被洗浄面に対して、柔軟に接触させることができる。また、基部３４は、多孔質化されたポリウレタンから形成されてある為、被洗浄面に傷を付ける事も無い。
【００７０】
また、清掃片１１ｂ、２６に、親油性を有する不織布を使用し、かつ、清掃片１１ｂ、２６の先端断面形状を略円弧状にすれば、フィルター６ａに付着した汚れ等の水分、油分、塵、埃等のさまざまな種類の汚れを、不織布に織り込まれた繊維間の隙間に吸着させると共に、特に、油分を強力に吸着することができる為、洗浄、清掃、及び磨きを、同時に、迅速、かつ的確にすることもできる。
【００７１】
尚、上記第１及び第２の実施例では、フィルター体６の自動清掃を可能にするために、除塵体１２を設け、更に、第１の駆動体１４で、フィルター体６を上下に駆動するようにしたが、本発明は、それを条件とするものでは無く、使用者が、フィルター体６の清掃を行うときに、空気調和機の本体１に設けたフィルター体通過口９から、フィルター体６を引き出すようにしても良い。この場合も、フィルター体６が引き出される際に、油分吸着体１１で、フィルター体６に付着した油分が吸着されるので、使用者は、フィルター体６を手持ちのブラシや、電気掃除機などで容易に掃除することが出来る。
【００７２】
また、上記実施例では、軸体２５にリブ２５ａを設け、清掃片２６に、リブ２５ａに嵌合する凹部２６ａを設けて、両者間の回り止めを行うようにしたが、図８（ｄ）に示すように、軸体１０５に溝部１０１を設けて、清掃片１０６に、溝部１０１に嵌合する凸部１００を設けて両者間の回り止めを行うようにしても良い(尚、軸体１０５及び清掃片１０６は、上記回り止め構成を除いて、上記第１、第２の実施例における軸体２５及び清掃片２６のそれぞれと同一である）。
【００７３】
（実施例３）
【００７４】
図１０は、本発明の第３の実施例における空気調和機の要部断面図である。尚、上記実施例における空気調和機と同一部分については同じ符号を用いて説明を省略する。
【００７５】
上記第２の実施例では、回転清掃体２３と除塵体１２を定位置に固定し、フィルター体６を、上下動させて、フィルター体６の全域に付着した油分と塵埃を除去するようにしたが、本実施例は、フィルター体６を定位置に固定し、回転清掃体２３と除塵体１２を、フィルター体６の上流側表面に沿って上下動させて、フィルター体６の全域を清掃するようにしたものである。
【００７６】
図１０において、本実施例における空気調和機のフィルター体６の上流側には、本体１に設けたガイドレール３８に沿って、上下に移動可能に設けられた清掃ユニット３９が設けられている。
【００７７】
清掃ユニット３９内に上部には、回転清掃体２３と、回転清掃体２３を回転駆動する第３の駆動体２４と、回転清掃体２３の下方に配された除塵体１２と、除塵体１２を回転駆動する第２の駆動体２０と、除塵体１２で除去され落下してくる塵埃を収納する塵埃収納体４０と、回転清掃体２３と除塵体１２を覆うカバー４１から構成されている。空気調和機の本体１には、特に図示しないが、清掃ユニット３９を上下に移動させる第４の駆動体が設けられている。
【００７８】
以上のように構成された本実施例における空気調和機のフィルター体６の清掃動作は、以下の通りである。
【００７９】
通常、清掃ユニット３９は、内設された回転清掃体２３の清掃片２６がフィルター体６のフィルター６ａの下端に接する位置（以下「下死点」という）で保持されている。そして、フィルター体６の清掃を行うために、図示しないクリーニングスイッチを操作すると、第２の駆動体２０、第３の駆動体２４及び、図示しない第４の駆動体の運転が開始し、除塵体１２及び回転清掃体２３のそれぞれが時計方向に回転しながら、徐々に上方に移動する。その間に、フィルター６ａに付着した油分が、回転清掃体２３で吸収され、次に、フィルター６ａに残った塵埃が、ブラシ１２ｂで掻き取られ、塵埃収納体４０内に中に落下し、次第に堆積していく。ブラシ１２ｂに付着して自然落下しない塵埃は、塵埃収納体４０内に設けた櫛歯４０ａにより梳かれて、塵埃収納体４０内に落下する。
【００８０】
そして、清掃ユニット３９が、除塵体１２のブラシ１２ｂが、フィルター６ａの上端に接する位置（以下「上死点」という）に達すると、次の清掃運転に備えるため、自動的に第４の駆動体が逆駆動し、清掃ユニット３９を元の下死点まで移動させた後、自動的に停止するようになっている。
【００８１】
塵埃収納体４０が塵埃で一杯になったら、塵埃収納体４０をカバー４１から取り外すことにより、簡単に行うことができる。
【００８２】
以上のように、本実施例によれば、フィルター体６を固定し、清掃ユニット３９を上下動させるようにしているので、フィルター体６の清掃運転時に、フィルター体６が、本体１の底部から飛び出すことが無く、意匠的に優れた空気調和機を提供することが出来るものである。
【００８３】
尚、上記実施例では、第２の駆動体２０と第３の駆動体２４を別々に設けたが、いずれか一方の駆動体のみで、除塵体１２と、回転清掃体２３の両方を駆動するようにすれば、駆動体を一つ減らし、安価に、且つ軽量化を図ることができる。
【００８４】
図１１は、本発明の第４の実施例における空気調和機の回転清掃体の斜視図、図１２は、図１１のＡ−Ａ断面図、図１３は、同回転清掃体４３の清掃片の斜視図である。尚、上記実施例における空気調和機と同一部分については同じ符号を用いて、その説明を省略する。
【００８５】
本実施例における空気調和機は、フィルター体６の上流側表面に摺接し油分を捕集する回転清掃体４３を有し、その回転清掃体４３を、図１１〜１３に示すように、一枚又は複数枚の短冊状で且つ布帛から成る清掃片４４を、それぞれ断面が半円状の一対の軸体４５で挟みつけ捩じって形成し、その軸体４５の一端を空気調和機の本体1に回転自在に軸支し、他端を第３の駆動体２４（第２の実施例参照）で回転駆動するようにしたもので、他の構成は、上記第２の実施例と同じである。本実施例では、図１３に示すように、清掃片４４の両端（被掃除面に接する部分）に、端面から中央部に向けて複数のスリット４４ａを形成している。
【００８６】
以上のように、本実施例によれば、回転清掃体４３を回転させながら、布帛から成る清掃片４４をフィルター体６の上流側表面に摺接させるので、油分の吸着を確実に行うことができる。しかも、回転清掃体４３を、短冊状の清掃片４４を一対の軸体４５で挟みつけて捩じって形成することで、回転清掃体４３の製造、組み立てが容易になると共に、回転清掃体４３の長さも自由に変えられるようになり、商品展開も容易になるものである。
【００８７】
尚、上記実施例では、一対の軸体４５を用いたが、３分割、或いは４分割されたような軸体を複数用いても良い。また、清掃片４４も、図１４に示すように、複数の清掃片４４ｂ、４４ｃ、４４ｄ――を長手方向に並べて形成しても良い。又、各軸体４５の断面形状は、円状、楕円状、異形でも良い。
【産業上の利用可能性】
【００８８】
以上のように、本発明にかかる空気調和機は、油分の除去を確実に行い、当初の空調性能を長期に渡って維持することが出来るもので、空気調和機に限らず、油分が多く発生する厨房に設置される各種機器に応用可能である。
【図面の簡単な説明】
【００８９】
【図１】本発明の第１の実施例における空気調和機の断面図
【図２】（ａ）同空気調和機のフィルター体の斜視図、（ｂ）同フィルター体の部分断面図
【図３】同空気調和機に油分吸着体の斜視図
【図４】同空気調和機のフィルター体と除塵体の断面図
【図５】同空気調和機のフィルター体清掃時の動作を示す部分断面図
【図６】同油分吸着体の他の例を示す斜視図である。
【図７】（ａ）本発明の第２の実施例における空気調和機の回転清掃体の斜視図、（ｂ）同回転清掃体の清掃片の斜視図
【図８】（ａ）同回転清掃体の他の例を示す断面図、（ｂ）同回転清掃体の他の例の清掃片の製造時の様子を示す図、（ｃ）同回転清掃体の部分側面図、（ｄ）回転清掃体の他の例を示す断面図
【図９】同回転清掃体の清掃片の部分拡大断面図
【図１０】本発明の第３の実施例における空気調和機の要部断面図
【図１１】本発明の第４の実施例における空気調和機の回転清掃体の斜視図
【図１２】図１１のＡ−Ａ断面図
【図１３】同回転清掃体の清掃片の斜視図
【図１４】同回転清掃体の他の清掃片の例を示す図
【符号の説明】
【００９０】
１    本体
２    吸込み口
４    排気口
５    通過回路
６    フィルター体
６ａ  フィルター
６ｂ  枠体  
７    室内熱交換器
８    送風機
１１    油分吸着体    
１１ｂ、２６、４４、４４ｂ、４４ｃ、４４ｄ  清掃片  
１２    除塵体
１３、４０  塵埃収納体
１４    第１の駆動体
２０    第２の駆動体
２３、４３  回転清掃体
２４    第３の駆動体
２５、４５    軸体
４４ａ  スリット
【図１】
2009275992.tif 000003
【図２】
2009275992.tif 000004
【図３】
2009275992.tif 000005
【図４】
2009275992.tif 000006
【図５】
2009275992.tif 000007
【図６】
2009275992.tif 000008
【図７】
2009275992.tif 000009
【図８】
2009275992.tif 000010
【図９】
2009275992.tif 000011
【図１０】
2009275992.tif 000012
【図１１】
2009275992.tif 000013
【図１２】
2009275992.tif 000014
【図１３】
2009275992.tif 000015
【図１４】
2009275992.tif 000016